(57)【要約】【課題】炊飯器の動作を制御するマイクロコンピュータを備えた炊飯器において、加熱手段や電子回路に供給する不要な電力を停止し、待機状態での消費電力を低減する。【解決手段】商用交流電源２と加熱手段５との間に電源通電切換手段１４を配置し、電源回路６により商用交流電源２を直流電力に変換し、マイクロコンピュータ１１と入力手段７に電力を供給する出力電圧Ｖ１と加熱駆動手段１２と切換駆動手段１３などの負荷に電力を供給する出力電圧Ｖ２を出力し、電源回路６の出力電圧Ｖ２とこの出力電圧Ｖ２に接続した負荷との間に通電切換手段９を配置する。通電切換手段９は、出力電圧Ｖ２からの電力供給を可能とする通電状態もしくは電力供給を停止する停止状態に切り換え、電源通電切換手段１４は、商用交流電源２から加熱手段５への電力供給を可能とする通電状態もしくは電力供給を停止する停止状態に切り換えるよう構成する。【選択図】図１
2006326141.tif 000002
【特許請求の範囲】
【請求項１】
鍋を加熱する加熱手段と、前記加熱手段を駆動する加熱駆動手段と、商用交流電源と前記加熱手段との間に配置した電源通電切換手段と、前記電源通電切換手段を駆動する切換駆動手段と、炊飯器の動作を制御するマイクロコンピュータと、前記マイクロコンピュータをバックアップするバックアップ手段と、前記マイクロコンピュータに所定の信号を入力する入力手段と、商用交流電源を直流電力に変換し少なくとも前記マイクロコンピュータと前記入力手段に電力を供給する出力電圧Ｖ１と少なくとも前記加熱駆動手段と前記切換駆動手段に電力を供給する出力電圧Ｖ２を出力する電源回路と、前記電源回路の前記出力電圧Ｖ２とその出力電圧Ｖ２に接続される前記加熱駆動手段と前記切換駆動手段等の負荷との間に配置した通電切換手段とを備え、前記通電切換手段は、前記出力電圧Ｖ２からの電力供給を可能とする通電状態もしくは電力供給を停止する停止状態に切り換え、さらに前記電源通電切換手段は、前記商用交流電源から前記加熱手段への電力供給を可能とする通電状態もしくは電力供給を停止する停止状態に切り換えるよう構成した炊飯器。
【請求項２】
鍋を加熱する加熱手段と、前記加熱手段を駆動する加熱駆動手段と、商用交流電源と前記加熱手段との間に配置した電源通電切換手段と、前記電源通電切換手段を駆動する切換駆動手段と、炊飯器の動作を制御するマイクロコンピュータと、前記マイクロコンピュータをバックアップするバックアップ手段と、前記マイクロコンピュータに所定の信号を入力する入力手段と、商用交流電源を直流電力に変換し少なくとも前記マイクロコンピュータと前記入力手段に電力を供給する出力電圧Ｖ１を出力する第１の電源回路と、前記商用交流電源を直流電力に変換し少なくとも前記加熱駆動手段と前記切換駆動手段に電力を供給する出力電圧Ｖ２を出力する第２の電源回路と、前記第２の電源回路の出力電圧Ｖ２とその出力電圧Ｖ２に接続される前記前記加熱駆動手段と前記切換駆動手段等の負荷との間に配置した通電切換手段とを備え、前記通電切換手段は、前記出力電圧Ｖ２からの電力供給を可能とする通電状態もしくは電力供給を停止する停止状態に切り換え、さらに前記電源通電切換手段は、前記商用交流電源から前記加熱手段への電力供給を可能とする通電状態もしくは電力供給を停止する停止状態に切り換えるよう構成した炊飯器。
【請求項３】
鍋を加熱する加熱手段と、前記加熱手段を駆動する加熱駆動手段と、商用交流電源と前記加熱手段との間に配置した電源通電切換手段と、前記電源通電切換手段を駆動する切換駆動手段と、炊飯器の動作を制御するマイクロコンピュータと、前記マイクロコンピュータをバックアップするバックアップ手段と、前記マイクロコンピュータに所定の信号を入力する入力手段と、商用交流電源を直流電力に変換し少なくとも前記マイクロコンピュータと前記入力手段に電力を供給する出力電圧Ｖ１を出力する第１の電源回路と、前記商用交流電源を直流電力に変換し少なくとも前記加熱駆動手段と前記切換駆動手段に電力を供給する出力電圧Ｖ２を出力する第２の電源回路と、前記商用交流電源と前記第２の電源回路間に配置した通電切換手段とを備え、前記通電切換手段は、前記商用交流電源からの電力供給を可能とする通電状態もしくは電力供給を停止する停止状態に切り換え、さらに前記電源通電切換手段は、前記商用交流電源から前記加熱手段への電力供給を可能とする通電状態もしくは電力供給を停止する停止状態に切り換えるよう構成した炊飯器。
【請求項４】
マイクロコンピュータは、加熱手段を動作させる炊飯モードまたは保温モードで電源通電切換手段を電力供給が可能とする通電状態に制御するようにした請求項１〜３のいずれか１項に記載の炊飯器。
【請求項５】
マイクロコンピュータは、炊飯器が待機状態になった後に通電切換手段を電力供給が停止する停止状態に制御するよう構成した請求項１〜４のいずれか１項に記載の炊飯器。
【請求項６】
マイクロコンピュータは、通電切換手段を電力供給が停止する停止状態に切り換える前に、通常動作よりも消費電力を少なくできる低消費電力モードで動作するよう構成した請求項１〜５のいずれか１項に記載の炊飯器。
【請求項７】
出力電圧Ｖ１に接続された少なくともマイクロコンピュータや入力手段等の負荷に対して、出力電圧Ｖ２からも電力を供給することが可能となるように接続した請求項１〜６のいずれか１項に記載の炊飯器。
【請求項８】
炊飯器の状態を表示する表示手段を備え、マイクロコンピュータは、少なくとも通電切換手段の状態に応じて前記表示手段の表示を変更するようにした請求項１〜７のいずれか１項に記載の炊飯器。
【請求項９】
加熱手段は、商用交流電源を略直流電源に変換する平滑回路と、この略直流電源により鍋を誘導加熱するインバータ回路と、商用交流電源の電圧を検知する電圧検知手段とで構成した請求項１〜８のいずれか１項に記載の炊飯器。
【発明の詳細な説明】
【技術分野】
【０００１】
本発明は、炊飯器の動作を制御するマイクロコンピュータを備えた炊飯器に関するものである。
【背景技術】
【０００２】
近年、地球の温暖化等の環境悪化を防止するため、電化製品の省エネルギー化が推進されている。
【０００３】
従来、この種の炊飯器は、鍋を加熱する加熱手段を駆動手段により駆動し、炊飯器の動作を制御するマイクロコンピュータをバックアップ手段によりバックアップするとともに、マイクロコンピュータに入力手段より所定の信号を入力し、電源回路により商用交流電源を直流電力に変換し少なくともマイクロコンピュータと入力手段に電力を供給する出力電圧Ｖ１と少なくとも駆動手段に電力を供給する出力電圧Ｖ２を出力し、電源回路の出力電圧Ｖ２とその出力電圧Ｖ２に接続される駆動手段等の負荷との間に通電切換手段を配置し、通電切換手段は、出力電圧Ｖ２からの電力供給を可能とする通電状態もしくは電力供給を停止する停止状態に切り換えるようにしている（例えば、特許文献１参照）。
【０００４】
図８は、特許文献１に記載された従来の炊飯器のブロック図を示すものである。図８に示すように、マイクロコンピュータ１は商用交流電源２により電力を供給される炊飯器を制御するもので、駆動手段３を介して鍋４を加熱する加熱手段５を制御する。電源回路６は商用交流電源２を直流電力に変換し、マイクロコンピュータ１と入力手段７に電力を供給する出力電圧Ｖ１と、駆動手段３とファンモータ８に電力を供給する出力電圧Ｖ２を出力する。
【０００５】
通電切換手段９は、電源回路６の出力電圧Ｖ２と、その出力電圧Ｖ２に接続される駆動手段３、ファンモータ８などの負荷との間に接続されており、出力電圧Ｖ２からの電力供給を可能とする通電状態もしくは電力供給を停止する停止状態に切り換えるよう構成している。
【０００６】
また、炊飯器が商用交流電源２に接続されていないときに、マイクロコンピュータ１をバックアップするバックアップ手段１０を有している。
【特許文献１】特開２００３−１３５２７２号公報
【発明の開示】
【発明が解決しようとする課題】
【０００７】
しかしながら、このような従来の構成では、炊飯器が実際に炊飯や保温といった動作を行っていない待機状態でも、炊飯器が商用交流電源２に接続されている限り加熱手段５を構成する部品の加熱停止状態で消費する電力が、待機電力として常時消費されるという問題を有していた。
【０００８】
また、所定時間後（例えば、前夜に翌朝）の炊きあがりとなるように予約炊飯を行う場合に、比較的長時間（例えば１０時間等）炊飯器の加熱手段５を構成する部品に電源が通電されていると、その部品の発熱により鍋４の内部が不当に温まり、炊飯性能に悪影響を及ぼす恐れがある。
【０００９】
すなわち、炊飯工程の一つである前炊き工程においては、米の吸水状態を所定値に制御するように温度と時間を制御しているが、予約炊飯を行うものにおいては、かかる前炊き工程にいたる以前に１０時間近くの待機時間を有するため、その間に加熱手段５を構成する部品の発熱による不当な温めによって炊飯性能が劣化する場合が生じ得た。
【００１０】
また、上述の不当な発熱は、ゴキブリ等の温床ともなり得るものであり、ゴキブリ等が炊飯器内部に侵入するのを誘発し、かかるゴキブリの糞等によりプリント基板上の配線間の絶縁劣化等を起こし、製品の故障等につながる場合もあった。
【００１１】
本発明は上記従来の課題を解決するもので、炊飯器内の電子回路に供給する不要な電力を停止し、さらに加熱手段を構成する部品の加熱停止状態で消費する電力を削減し、待機状態での消費電力を低減することを目的としている。
【課題を解決するための手段】
【００１２】
本発明は上記目的を達成するために、鍋を加熱する加熱手段を加熱駆動手段により駆動し、商用交流電源と加熱手段との間に配置した電源通電切換手段を切換駆動手段により駆動し、炊飯器の動作を制御するマイクロコンピュータをバックアップ手段によりバックアップするとともに、マイクロコンピュータに入力手段より所定の信号を入力し、電源回路により商用交流電源を直流電力に変換し少なくともマイクロコンピュータと入力手段に電力を供給する出力電圧Ｖ１と少なくとも加熱駆動手段と切換駆動手段に電力を供給する出力電圧Ｖ２を出力し、電源回路の出力電圧Ｖ２とその出力電圧Ｖ２に接続される加熱駆動手段と切換駆動手段等の負荷との間に通電切換手段を配置し、通電切換手段は、出力電圧Ｖ２からの電力供給を可能とする通電状態もしくは電力供給を停止する停止状態に切り換え、さらに電源通電切換手段は、商用交流電源から加熱手段への電力供給を可能とする通電状態もしくは電力供給を停止する停止状態に切り換えるよう構成したものである。
【００１３】
これにより、出力電圧Ｖ２から出力電圧Ｖ２に接続される加熱駆動手段や切換駆動手段などの負荷を切り離すことができて、炊飯器内の電子回路に供給する不要な電力を停止でき、さらに加熱手段を構成する部品の加熱停止状態で消費する電力を削減することができ、待機状態での消費電力を低減することができる。
【発明の効果】
【００１４】
本発明の炊飯器は、加熱駆動手段や切換駆動手段などの実際に加熱炊飯を行うとき以外は動作を必要としない回路は、実際に動作するモード以外では商用交流電源から電力の供給を停止し、さらに加熱手段を構成する部品の加熱停止状態で消費する電力を削減するので、加熱停止状態での無駄な電力を消費しないようにできる。
【発明を実施するための最良の形態】
【００１５】
第１の発明は、鍋を加熱する加熱手段と、前記加熱手段を駆動する加熱駆動手段と、商用交流電源と前記加熱手段との間に配置した電源通電切換手段と、前記電源通電切換手段を駆動する切換駆動手段と、炊飯器の動作を制御するマイクロコンピュータと、前記マイクロコンピュータをバックアップするバックアップ手段と、前記マイクロコンピュータに所定の信号を入力する入力手段と、商用交流電源を直流電力に変換し少なくとも前記マイクロコンピュータと前記入力手段に電力を供給する出力電圧Ｖ１と少なくとも前記加熱駆動手段と前記切換駆動手段に電力を供給する出力電圧Ｖ２を出力する電源回路と、前記電源回路の前記出力電圧Ｖ２とその出力電圧Ｖ２に接続される前記加熱駆動手段と前記切換駆動手段等の負荷との間に配置した通電切換手段とを備え、前記通電切換手段は、前記出力電圧Ｖ２からの電力供給を可能とする通電状態もしくは電力供給を停止する停止状態に切り換え、さらに前記電源通電切換手段は、前記商用交流電源から前記加熱手段への電力供給を可能とする通電状態もしくは電力供給を停止する停止状態に切り換えるよう構成したものであり、マイクロコンピュータや入力手段といったどのようなモードでも動作しつづける必要がある回路は出力電圧Ｖ１から常時電力を供給され、加熱駆動手段や切換駆動手段などの実際に加熱炊飯を行うとき以外は動作を必要としない回路は、実際に動作するモード以外では出力電圧Ｖ２から切り離すことができ、さらに商用交流電源から加熱手段を切り離すことができるので、炊飯器内の電子回路に供給する不要な電力を停止でき、さらに加熱手段を構成する部品の加熱停止状態で消費する電力を削減することができ、待機状態での消費電力を低減することができる。
【００１６】
第２の発明は、鍋を加熱する加熱手段と、前記加熱手段を駆動する加熱駆動手段と、商用交流電源と前記加熱手段との間に配置した電源通電切換手段と、前記電源通電切換手段を駆動する切換駆動手段と、炊飯器の動作を制御するマイクロコンピュータと、前記マイクロコンピュータをバックアップするバックアップ手段と、前記マイクロコンピュータに所定の信号を入力する入力手段と、商用交流電源を直流電力に変換し少なくとも前記マイクロコンピュータと前記入力手段に電力を供給する出力電圧Ｖ１を出力する第１の電源回路と、前記商用交流電源を直流電力に変換し少なくとも前記加熱駆動手段と前記切換駆動手段に電力を供給する出力電圧Ｖ２を出力する第２の電源回路と、前記第２の電源回路の出力電圧Ｖ２とその出力電圧Ｖ２に接続される前記前記加熱駆動手段と前記切換駆動手段等の負荷との間に配置した通電切換手段とを備え、前記通電切換手段は、前記出力電圧Ｖ２からの電力供給を可能とする通電状態もしくは電力供給を停止する停止状態に切り換え、さらに前記電源通電切換手段は、前記商用交流電源から前記加熱手段への電力供給を可能とする通電状態もしくは電力供給を停止する停止状態に切り換えるよう構成したものであり、マイクロコンピュータや入力手段といったどのようなモードでも動作しつづける必要がある回路は出力電圧Ｖ１を出力する第１の電源回路から常時電力を供給され、加熱駆動手段や切換駆動手段などの実際に加熱炊飯を行うとき以外は動作を必要としない回路は、実際に動作するモード以外では出力電圧Ｖ２を出力する第２の電源回路から切り離すことができ、さらに商用交流電源から加熱手段を切り離すことができるので、炊飯器内の電子回路に供給する不要な電力を停止でき、さらに加熱手段を構成する部品の加熱停止状態で消費する電力を削減することができ、待機状態での消費電力を低減することができる。
【００１７】
第３の発明は、鍋を加熱する加熱手段と、前記加熱手段を駆動する加熱駆動手段と、商用交流電源と前記加熱手段との間に配置した電源通電切換手段と、前記電源通電切換手段を駆動する切換駆動手段と、炊飯器の動作を制御するマイクロコンピュータと、前記マイクロコンピュータをバックアップするバックアップ手段と、前記マイクロコンピュータに所定の信号を入力する入力手段と、商用交流電源を直流電力に変換し少なくとも前記マイクロコンピュータと前記入力手段に電力を供給する出力電圧Ｖ１を出力する第１の電源回路と、前記商用交流電源を直流電力に変換し少なくとも前記加熱駆動手段と前記切換駆動手段に電力を供給する出力電圧Ｖ２を出力する第２の電源回路と、前記商用交流電源と前記第２の電源回路間に配置した通電切換手段とを備え、前記通電切換手段は、前記商用交流電源からの電力供給を可能とする通電状態もしくは電力供給を停止する停止状態に切り換え、さらに前記電源通電切換手段は、前記商用交流電源から前記加熱手段への電力供給を可能とする通電状態もしくは電力供給を停止する停止状態に切り換えるよう構成したものであり、マイクロコンピュータや入力手段といったどのようなモードでも動作しつづける必要がある回路は出力電圧Ｖ１を出力する第１の電源回路から常時電力を供給され、加熱駆動手段や切換駆動手段などの実際に加熱炊飯を行うとき以外は動作を必要としない回路は、実際に動作するモード以外では商用電源から第２の電源回路とともに切り離すことができ、第２の電源回路が消費する電力も削減することができ、さらに商用交流電源から加熱手段を切り離すことができるので、炊飯器内の電子回路に供給する不要な電力を停止でき、さらに加熱手段を構成する部品の加熱停止状態で消費する電力を削減することができ、待機状態での消費電力を低減することができる。
【００１８】
第４の発明は、上記第１〜第３のいずれか１つの発明において、マイクロコンピュータは、加熱手段を動作させる炊飯モードまたは保温モードで電源通電切換手段を電力供給が可能とする通電状態に制御するようにしたものであり、加熱停止状態で加熱手段を構成する部品が消費する電力を削減するので、加熱停止状態状態での無駄な電力を消費しないようにできる。
【００１９】
第５の発明は、上記第１〜第４のいずれか１つの発明において、マイクロコンピュータは、炊飯器が待機状態になった後に通電切換手段を電力供給が停止する停止状態に制御するよう構成したものであり、炊飯器の負荷をまったく動作させない状態で第２の電源回路の出力電圧Ｖ２から出力電圧Ｖ２に接続される加熱駆動手段と切換駆動手段などの負荷を切り離すこととなり、炊飯器内の電子回路に供給する不要な電力を停止できて、待機状態での消費電力を低減することができる。
【００２０】
第６の発明は、上記第１〜第５のいずれか１つの発明において、マイクロコンピュータは、通電切換手段を電力供給が停止する停止状態に切り換える前に、通常動作よりも消費電力を少なくできる低消費電力モードで動作するよう構成したものであり、マイクロコンピュータの消費電力を低減できて、さらに待機時の消費電力を削減することができる。
【００２１】
第７の発明は、上記第１〜第６のいずれか１つの発明において、出力電圧Ｖ１に接続された少なくともマイクロコンピュータや入力手段等の負荷に対して、出力電圧Ｖ２からも電力を供給することが可能となるように接続したものであり、通電切換手段が通電状態でマイクロコンピュータが通常動作中は出力電圧Ｖ２からも出力電圧Ｖ１に接続された負荷に電力を供給し、マイクロコンピュータが低速動作等の低消費電力モードで動作するときは出力電圧Ｖ１からのみで電力を供給することとなり、電源回路の出力電圧Ｖ１を出力する回路を低コストでコンパクトにできる。
【００２２】
第８の発明は、上記第１〜第７のいずれか１つの発明において、炊飯器の状態を表示する表示手段を備え、マイクロコンピュータは、少なくとも通電切換手段の状態に応じて前記表示手段の表示を変更するようにしたものであり、炊飯器の状態に応じた表示を行うことができる。
【００２３】
第９の発明は、上記第１〜第８のいずれか１つの発明において、加熱手段は、商用交流電源を略直流電源に変換する平滑回路と、この略直流電源により鍋を誘導加熱するインバータ回路と、商用交流電源の電圧を検知する電圧検知手段とで構成したものであり、出力電圧Ｖ２から出力電圧Ｖ２に接続される加熱駆動手段と切換駆動手段などの負荷を切り離すことで、商用交流電源から、商用交流電源を略直流電源に変換する平滑回路とこの略直流電源により鍋を誘導加熱するインバータ回路と商用交流電源の電圧を検知する電圧検知手段を切り離すことができるので、炊飯器内の電子回路に供給する不要な電力を停止でき、さらに、商用交流電源の電圧を検知する電圧検知手段やインバータ回路およびインバータ回路の動作状態を検知する負荷回路が加熱停止状態で消費する電力を削減することができ、待機状態での消費電力を低減することができる。
【００２４】
以下、本発明の実施の形態について、図面を参照しながら説明する。なお、本実施の形態によって本発明が限定されるものではない。
【００２５】
（実施の形態１）
図１は、本発明の実施の形態１における炊飯器のブロック図を示すものである。
【００２６】
図１に示すように、マイクロコンピュータ１１は商用交流電源２により電力を供給される炊飯器を制御するもので、加熱駆動手段１２を介して鍋４を加熱する加熱手段５を制御する。また、マイクロコンピュータ１１は切換駆動手段１３を介して商用交流電源２と加熱手段５の間に接続されている電源通電切換手段１４を制御し、商用交流電源２から加熱手段５への電力供給を可能とする通電状態もしくは電力供給を停止する停止状態に切り換える。
【００２７】
電源回路６は商用交流電源２を直流電力に変換し、マイクロコンピュータ１１と入力手段７に電力を供給する出力電圧Ｖ１と、加熱駆動手段１２と切換駆動手段１３とファンモータ８に電力を供給する出力電圧Ｖ２を出力する。
【００２８】
通電切換手段９は電源回路６の出力電圧Ｖ２と、その出力電圧Ｖ２に接続される加熱駆動手段１２や切換駆動手段１３やファンモータ８などの負荷との間に接続し、マイクロコンピュータ１１からの信号により出力電圧Ｖ２からの電力供給を可能とする通電状態もしくは電力供給を停止する停止状態に切り換えるよう構成し、さらに、電源通電切換手段１４は、商用交流電源２から加熱手段５への電力供給を可能とする通電状態もしくは電力供給を停止する停止状態に切り換えるよう構成している。
【００２９】
加熱手段５は、図２に示すように、商用交流電源２を略直流電源に変換する平滑回路２３と、この略直流電源により鍋４を誘導加熱するインバータ回路３０と、商用交流電源２の電圧を検知する電圧検知手段２６とで構成している。
【００３０】
すなわち、全波整流素子２０は、電源通電切換手段１４を介して商用交流電源２に接続しており、その出力にチョークコイル２１と平滑コンデンサ２２を接続し、平滑回路２３を構成している。この全波整流素子２０の出力端子には、抵抗２８と抵抗２９とからなる電圧検知手段２６を接続し、その出力電圧をマイクロコンピュータ１１に入力している。
【００３１】
また、平滑回路２３の出力には、加熱コイル２７と共振コンデンサ２８とスイッチング素子２９とからなるインバータ回路３０を接続し、このインバータ回路３０には、インバータ回路３０の入力電圧波形を分圧する抵抗３１と抵抗３２の直列回路と、スイッチング素子２９の両端電圧を検知する抵抗３３と抵抗３４の直列回路とを接続しており、それぞれの分圧波形をマイクロコンピュータ１１に入力している。
【００３２】
また、加熱駆動手段１２は、スイッチング素子２９に駆動信号を出力することでインバータ回路３０を動作させる。他の構成は従来例と同じであり、同一符号を付して説明を省略する。
【００３３】
上記構成において動作、作用を説明する。まず、炊飯器が商用交流電源２に接続されると、電源回路６は商用交流電源２を直流電圧に変換し、出力電圧Ｖ１と出力電圧Ｖ２を出力する。出力電圧Ｖ１にはマイクロコンピュータ１１と入力手段７を接続しており、出力電圧Ｖ２に通電切換手段９を接続し、通電切換手段９の出力に加熱駆動手段１２と切換駆動手段１３とファンモータ８を接続している。
【００３４】
マイクロコンピュータ１１は加熱駆動手段１２や切換駆動手段１３やファンモータ８などの負荷を動作させる必要のない状態では、通電切換手段９に通電を停止する信号を出力し、通電切換手段９は出力に接続された負荷に出力電圧Ｖ２を供給しない。また、この状態では、加熱手段５は電源通電切換手段１４により商用交流電源２から電源を供給されない。
【００３５】
一方、マイクロコンピュータ１１は入力手段７の信号を入力すると、その信号に合わせて通電切換手段９に通電を可能とする信号を出力し、通電切換手段９の出力に接続された負荷に出力電圧Ｖ２を供給し、さらに、加熱駆動手段１２や切換駆動手段１３やファンモータ８に信号を出力し炊飯動作を開始する。切換駆動手段１３はマイクロコンピュータ１１からの信号により電源通電切換手段１４を駆動し、加熱手段５に商用交流電源２から電力を供給可能な状態とする。
【００３６】
この状態では、平滑回路２３や抵抗２４と抵抗２５からなる電圧検知回路２６や、インバータ回路３０や抵抗３１と抵抗３２の直列回路や抵抗３３と抵抗３４の直列回路が商用交流電源２に接続されていることになり、それぞれの部品が電力を消費する。
【００３７】
また、加熱駆動手段１２はマイクロコンピュータ１１からの信号によりスイッチング素子２９に駆動信号を出力し、インバータ回路２９を動作させて鍋４を加熱し炊飯を行う。
【００３８】
すなわち、入力手段７からの入力信号によりマイクロコンピュータ１１が各種の負荷を駆動するまでは、通電切換手段９と電源通電切換手段１４とにより、電源回路６とマイクロコンピュータ１１と入力手段７以外は商用交流電源２から切り離された状態となり、切り離された回路は電力を消費しない。
【００３９】
以上のように、本実施の形態においては、通電切換手段９は、出力電圧Ｖ２からの電力供給を可能とする通電状態もしくは電力供給を停止する停止状態に切り換え、さらに電源通電切換手段１４は、商用交流電源２から加熱手段５への電力供給を可能とする通電状態もしくは電力供給を停止する停止状態に切り換えるよう構成したので、マイクロコンピュータ１１や入力手段７といったどのようなモードでも動作しつづける必要がある回路は出力電圧Ｖ１から常時電力を供給され、一方、加熱駆動手段１２や切換駆動手段１３などの実際に加熱炊飯を行うとき以外は動作を必要としない回路は、実際に動作するモード以外では出力電圧Ｖ２から切り離すことができ、さらに、商用交流電源２から加熱手段５を切り離すことができるので、炊飯器内の電子回路に供給する不要な電力を停止でき、さらに加熱手段５を構成する部品の加熱停止状態で消費する電力を削減することができ、待機状態での消費電力を低減することができる。
【００４０】
また、加熱手段５は、商用交流電源２を略直流電源に変換する平滑回路２３と、この略直流電源により鍋４を誘導加熱するインバータ回路３０と、商用交流電源２の電圧を検知する電圧検知手段２６とで構成したので、電源回路６出力電圧Ｖ２から出力電圧Ｖ２に接続される加熱駆動手段１２と切換駆動手段１３などの負荷を切り離すことで、商用交流電源２から、商用交流電源２を略直流電源に変換する平滑回路２３とこの略直流電源により鍋４を誘導加熱するインバータ回路３０と商用交流電源２の電圧を検知する電圧検知手段２６を切り離すことができるので、炊飯器内の電子回路に供給する不要な電力を停止でき、さらに、商用交流電源２の電圧を検知する電圧検知手段２６やインバータ回路３０およびインバータ回路３０の動作状態を検知する負荷回路が加熱停止状態で消費する電力を削減することができ、待機状態での消費電力を低減することができる。
【００４１】
（実施の形態２）
図３は、本発明の実施の形態２における炊飯器のブロック図を示すものである。
【００４２】
図３に示すように、第１の電源回路１５は商用交流電源２を直流電力に変換し、マイクロコンピュータ１１と入力手段７に出力電圧Ｖ１を供給する。第２の電源回路１６は商用交流電源２を直流電力に変換し、加熱駆動手段１２や切換駆動手段１３やファンモータ８などの負荷に出力電圧Ｖ２を供給する。
【００４３】
通電切換手段９は、第２電源回路１６の出力電圧Ｖ２とその出力電圧Ｖ２に接続される加熱駆動手段１２や切換駆動手段１３やファンモータ８などの負荷との間に接続し、出力電圧Ｖ２からの電力供給を可能とする通電状態もしくは電力供給を停止する停止状態に切り換えるよう構成し、さらに、電源通電切換手段１４は、商用交流電源２から加熱手段５への電力供給を可能とする通電状態もしくは電力供給を停止する停止状態に切り換えるよう構成している。他の構成は上記実施の形態１と同じであり、同一符号を付して説明を省略する。
【００４４】
上記構成において動作、作用を説明する。まず、炊飯器が商用交流電源２に接続されると、第１の電源回路１５は商用交流電源２を直流電圧に変換して出力電圧Ｖ１を出力し、その出力電圧Ｖ１にはマイクロコンピュータ１１と入力手段７を接続しており、常時電力を供給している。また、第２の電源回路１６も同様に商用交流電源２を直流電圧に変換して出力電圧Ｖ２を出力し、その出力電圧Ｖ２に通電切換手段９を接続し、通電切換手段９の出力に加熱駆動手段１２と切換駆動手段１３とファンモータ８を接続している。
【００４５】
マイクロコンピュータ１１は加熱駆動手段１２や切換駆動手段１３やファンモータ８などの負荷を動作させる必要のない状態では、通電切換手段９に通電を停止する信号を出力し、通電切換手段９は出力に接続された負荷に出力電圧Ｖ２を供給しない。また、この状態では、加熱手段５は電源通電切換手段１４により商用交流電源２から電源を供給されない。
【００４６】
一方、マイクロコンピュータ１１は入力手段７の信号を入力すると、その信号に合わせて通電切換手段９に通電を可能とする信号を出力し、通電切換手段９の出力に接続された負荷に出力電圧Ｖ２を供給し、さらに、加熱駆動手段１２や切換駆動手段１３やファンモータ８に信号を出力し炊飯動作を開始する。切換駆動手段１３はマイクロコンピュータ１１からの信号により電源通電切換手段１４を駆動し、加熱手段５に商用交流電源２から電力を供給可能な状態とする。また、加熱駆動手段１２はマイクロコンピュータ１１からの信号により加熱手段５に駆動信号を出力し加熱手段５を動作させ鍋４を加熱し炊飯を行う。
【００４７】
すなわち、入力手段７からの入力信号によりマイクロコンピュータ１１が各種の負荷を駆動するまでは、通電切換手段９と電源通電切換手段１４とにより、第１の電源回路１５と第２の電源回路１６とマイクロコンピュータ１１と入力手段７以外は商用交流電源２から切り離された状態となり、切り離された回路は電力を消費しない。
【００４８】
以上のように、本実施の形態においては、通電切換手段９は、出力電圧Ｖ２からの電力供給を可能とする通電状態もしくは電力供給を停止する停止状態に切り換え、さらに、電源通電切換手段１４は、商用交流電源２から加熱手段５への電力供給を可能とする通電状態もしくは電力供給を停止する停止状態に切り換えるよう構成したので、マイクロコンピュータ１１や入力手段７といったどのようなモードでも動作しつづける必要がある回路は出力電圧Ｖ１を出力する第１の電源回路１５から常時電力を供給され、加熱駆動手段１２や切換駆動手段１３などの実際に加熱炊飯を行うとき以外は動作を必要としない回路は、実際に動作するモード以外では出力電圧Ｖ２を出力する第２の電源回路１６から切り離すことができ、さらに商用交流電源２から加熱手段５を切り離すことができるので、炊飯器内の電子回路に供給する不要な電力を停止でき、さらに加熱手段５を構成する部品の加熱停止状態で消費する電力を削減することができ、待機状態での消費電力を低減することができる。
【００４９】
（実施の形態３）
図４は、本発明の実施の形態３における炊飯器のブロック図を示すものである。
【００５０】
図４に示すように、第１の電源回路１５は商用交流電源２を直流電力に変換し、マイクロコンピュータ１１と入力手段７に出力電圧Ｖ１を供給する。第２の電源回路１６は商用交流電源２を直流電力に変換し、加熱駆動手段１２や切換駆動手段１３やファンモータ８などの負荷に出力電圧Ｖ２を供給する。
【００５１】
通電切換手段１７は、商用交流電源２と第２の電源回路１６の間に接続し、商用交流電源２から第２の電源回路１６への電力供給を可能とする通電状態もしくは電力供給を停止する停止状態に切り換えるよう構成し、さらに、電源通電切換手段１４は、商用交流電源２から加熱手段５への電力供給を可能とする通電状態もしくは電力供給を停止する停止状態に切り換えるよう構成している。他の構成は上記実施の形態１または２と同じであり、同一符号を付して説明を省略する。
【００５２】
上記構成において動作、作用を説明する。まず、炊飯器が商用交流電源２に接続されると、第１の電源回路１５は商用交流電源２を直流電圧に変換して出力電圧Ｖ１を出力し、その出力電圧Ｖ１にはマイクロコンピュータ１１と入力手段７を接続しており、常時電力を供給している。また、第２の電源回路１６は通電切換手段１７を介して商用交流電源２に接続され、その商用交流電源２を直流電圧に変換し出力電圧Ｖ２を出力し、その出力電圧Ｖ２には加熱駆動手段１２と切換駆動手段１３とファンモータ８を接続している。
【００５３】
マイクロコンピュータ１１は加熱駆動手段１２や切換駆動手段１３やファンモータ８などの負荷を動作させる必要のない状態では、通電切換手段１７に通電を停止する信号を出力し、通電切換手段１７は第２の電源回路１６に商用交流電源２からの電力を供給しない。また、この状態では、加熱手段５は電源通電切換手段１４により商用交流電源２から電源を供給されない。
【００５４】
一方、マイクロコンピュータ１１は入力手段７の信号を入力すると、その信号に合わせて通電切換手段１７に通電を可能とする信号を出力し、第２の電源回路１６に商用交流電源２からの電力を供給し、さらに、加熱駆動手段１２や切換駆動手段１３やファンモータ８に信号を出力し炊飯動作を開始する。切換駆動手段１３はマイクロコンピュータ１１からの信号により電源通電切換手段１４を駆動し、加熱手段５に商用交流電源２から電力を供給可能な状態とする。また、加熱駆動手段１２はマイクロコンピュータ１１からの信号により加熱手段５に駆動信号を出力し加熱手段５を動作させ鍋４を加熱し炊飯を行う。
【００５５】
すなわち、入力手段７からの入力信号によりマイクロコンピュータ１１が各種の負荷を駆動するまでは、通電切換手段１７と電源通電切換手段１４とにより、第１の電源回路１５とマイクロコンピュータ１１と入力手段７以外は商用交流電源２から切り離された状態となり、切り離された回路は電力を消費しない。
【００５６】
以上のように、本実施の形態においては、通電切換手段１７は、商用交流電源２からの電力供給を可能とする通電状態もしくは電力供給を停止する停止状態に切り換え、さらに、電源通電切換手段１４は、商用交流電源２から加熱手段５への電力供給を可能とする通電状態もしくは電力供給を停止する停止状態に切り換えるよう構成したので、マイクロコンピュータ１１や入力手段７といったどのようなモードでも動作しつづける必要がある回路は出力電圧Ｖ１を出力する第１の電源回路１５から常時電力を供給され、加熱駆動手段１２や切換駆動手段１３などの実際に加熱炊飯を行うとき以外は動作を必要としない回路は、実際に動作するモード以外では商用電源２から第２の電源回路１６とともに切り離すことができ、第２の電源回路１５が消費する電力も削減することができ、さらに、商用交流電源２から加熱手段５を切り離すことができるので、炊飯器内の電子回路に供給する不要な電力を停止でき、さらに加熱手段５を構成する部品の加熱停止状態で消費する電力を削減することができ、待機状態での消費電力を低減することができる。
【００５７】
（実施の形態４）
図１に示すマイクロコンピュータ１１は、待機状態になると通常動作よりも消費電力を少なくできる低消費電力モードで動作するようプログラムされている。この低消費電力モードでは、マイクロコンピュータ１１は入力手段７からの入力と時計機能（図示せず）の動作といった最低限の機能だけを動作させて、マイクロコンピュータ１１の消費する消費電力を通常動作時よりも低減するモードである。
【００５８】
ここで、マイクロコンピュータ１１は、加熱手段５を動作させる炊飯モードまたは保温モードで電源通電切換手段１４を電力供給が可能とする通電状態に制御するようにし、また、炊飯器が待機状態になった一定時間経過後に通電切換手段９を電力供給が停止する停止状態に制御するよう構成している。このとき、マイクロコンピュータ１１は、通電切換手段９を電力供給が停止する停止状態に切り換える前に、通常動作よりも消費電力を少なくできる低消費電力モードで動作するよう構成している。他の構成は上記実施の形態１と同じである。
【００５９】
上記構成において図５を参照しながら動作、作用を説明する。炊飯器が商用交流電源２に接続されると、マイクロコンピュータ１１は、ステップ１００で加熱駆動手段１２やファンモータ８や通電切換手段９などに信号を出力したり、入力手段７からの信号を入力したり、鍋４の温度を検出したり、といった炊飯器の機能をすべて制御する通常動作モードで動作するようにし、ステップ１０１に進む。
【００６０】
ステップ１０１では、通電切換手段９に通電可能信号を出力し、さらに切換駆動手段１３に電源通電切換手段１４が通電停止状態になる通電停止信号を出力し、ステップ１０２に進む。ステップ１０２では炊飯器の状態を判定し、状態が待機状態であればステップ１０３へ進み、待機状態以外ではステップ１０４でそれぞれの状態に応じた工程に進む。
【００６１】
ステップ１０３では待機状態に入ってから経過した時間を計時するタイマーの時間を初期化し、その後ステップ１０５に進みタイマーのカウントを開始し、ステップ１０６に進む。ステップ１０６では入力手段７からの入力の有無を判定し、入力がなければステップ１０７に進み、入力があればステップ１０８に進む。ステップ１０８では入力手段７から入力された信号が取消しキーからの信号かそれ以外のキーからの信号かを判断し、取消キーからの信号であればステップ１０７に進み、それ以外のキーからの信号であればステップ１１５に進む。
【００６２】
ステップ１０７ではタイマーによりカウントされた時間が所定時間（例えば、３０秒）を経過したかどうか判定し、所定時間を経過していなければステップ１０５に戻り、タイマーのカウントを継続し、所定時間を経過しているとステップ１０９に進む。ステップ１０９では、通常動作よりも消費電力を少なくできる低消費電力モードで動作するようになり、ステップ１１０に進む。ステップ１１０では、通電切換手段９に通電停止信号を出力し、ステップ１１１に進む。ステップ１１１では入力手段７からの入力の有無を判定し、入力がなければステップ１０９に戻り、入力があればステップ１１２に進む。ステップ１１２では入力手段７から入力された信号が取消しキーからの信号かそれ以外のキーからの信号かを判断し、取消しキーからの信号であればステップ１０９に戻り、それ以外のキーからの信号であればステップ１１３に進む。ステップ１１３では通電切換手段９に通電可能信号を出力し、ステップ１１４に進む。ステップ１１４では、動作モードを低消費電力モードから通常の動作モードに戻し、ステップ１１５に進む。
【００６３】
ステップ１１５では、入力手段７から入力された信号が炊飯開始キーからの信号かそれ以外のキーからの信号かを判断し、炊飯開始キーからの信号であればステップ１１６に進み、それ以外のキーからの信号であればステップ１１７に進む。ステップ１１６では切換駆動手段１３に電源通電切換手段１４が通電状態になる通電可能信号を出力しステップ１１８に進み、ステップ１１８で炊飯工程を実行する。
【００６４】
ステップ１１７では、入力手段７から入力された信号が保温開始キーからの信号かそれ以外のキーからの信号かを判断し、保温開始キーからの信号であればステップ１１９に進み、それ以外のキーからの信号であればステップ１２０に進み、それぞれのキーに応じた工程を実行してステップ１２１に進む。ステップ１１９では切換駆動手段１３に電源通電切換手段１４が通電状態になる通電可能信号を出力しステップ１２２に進み、ステップ１２２で保温工程を実行し、ステップ１２３に進む。
【００６５】
また、ステップ１１８で炊飯工程を実行し炊飯を終了すると、ステップ１２２に進み、保温工程に移行する。
【００６６】
ステップ１２３では、ステップ１２２の保温工程を実行中に入力手段７のうち取消しキーからの入力の有無を判定して、入力がなければステップ１２２に戻り保温工程を継続し、入力があればステップ１２４に進む。ステップ１２４では、切換駆動手段１３に電源通電切換手段１４が通電停止状態になる通電停止信号を出力しステップ１２５に進み、待機状態に入る。その後ステップ１０３に戻る。
【００６７】
ステップ１２１では、ステップ１２０の工程を実行中に入力手段７からの入力の有無を判定して、入力がなければステップ１２０に戻りその工程を継続し、入力があればステップ１２６に進む。ステップ１２６では、入力手段７から入力された信号が取消しキーからの信号かそれ以外のキーからの信号かを判断し、取消しキーからの信号であればステップ１２５に進み、待機状態に入る。それ以外のキーからの信号であればステップ１１５に戻る。
【００６８】
すなわち、マイクロコンピュータ１１は、入力手段７のうち取消しキーを押され待機状態になると、一定時間の間は通電切換手段９に通電可能信号を出力し、一定時間入力手段７からの入力信号がないと、待機状態になると通常動作よりも消費電力を少なくできる低消費電力モードで動作を始め、その後通電切換手段９に通電停止信号を出力する。
【００６９】
また、待機状態で、入力手段７のうち取消しキー以外のキーを押されると、通電切換手段９に通電可能信号を出力し、動作モードを低消費電力モードから通常の動作モードに戻して、押されたキーに応じた工程に移行する。
【００７０】
このとき、炊飯開始キーもしくは保温開始キーが押された場合は、切換駆動手段１３に電源通電切換手段１４が通電状態になる通電可能信号を出力し、その後、それぞれ炊飯工程もしくは保温工程に移行するのである。
【００７１】
この保温工程で取消しキーが押されると、切換駆動手段１３に電源通電切換手段１４が通電停止状態になる通電停止信号を出力し、その後待機状態に戻るのである。
【００７２】
したがって、待機状態では、入力手段７からの入力信号によりマイクロコンピュータ１１が各種の負荷を駆動するまでは、通電切換手段９と電源通電切換手段１４とにより、電源回路６とマイクロコンピュータ１１と入力手段７以外は商用交流電源２から切り離された状態となり、切り離された回路は電力を消費せず、さらに、マイクロコンピュータ１１の消費電力も低減することができる。
【００７３】
また、炊飯器の動作状態に応じて、電源通電切換手段１４を通電状態にするので、炊飯や保温モード以外では、加熱手段５で電力を消費しない。
【００７４】
以上のように、本実施の形態においては、マイクロコンピュータ１１は、加熱手段５を動作させる炊飯モードまたは保温モードで電源通電切換手段１４を電力供給が可能とする通電状態に制御するようにしたので、加熱停止状態で加熱手段２を構成する部品が消費する電力を削減するので、加熱停止状態状態での無駄な電力を消費しないようにできる。
【００７５】
また、マイクロコンピュータ１１は、炊飯器が待機状態になった一定時間経過後に通電切換手段９を電力供給が停止する停止状態に制御するよう構成しているので、炊飯器の負荷をまったく動作させない状態で、電源回路６の出力電圧Ｖ２から出力電圧Ｖ２に接続される加熱駆動手段１２と切換駆動手段１３などの負荷を切り離すこととなり、炊飯器内の電子回路に供給する不要な電力を停止できて、待機状態での消費電力を低減することができる。
【００７６】
また、マイクロコンピュータ１１は、通電切換手段９を電力供給が停止する停止状態に切り換える前に、通常動作よりも消費電力を少なくできる低消費電力モードで動作するよう構成したので、マイクロコンピュータ１１の消費電力を低減できて、さらに待機時の消費電力を削減することができ、炊飯器のそれぞれの動作モードでもっとも省電力な状態で動作させることができる。
【００７７】
なお、本実施の形態では、タイマーがカウントする所定時間を３０秒としたが、所定時間を０秒としても問題はない。
【００７８】
また、本実施の形態では、ステップ１０２で炊飯器の状態が待機状態であるかどうかを判定したが、予約炊飯中の待機中でもよい。
【００７９】
また、本実施の形態では、上記実施の形態１のマイクロコンピュータ１１について、炊飯モードや保温モードの間だけ電源通電切換手段１４を通電状態にし、さらに炊飯器が待機状態状態になった後の一定時間経過後に、通電切換手段９を電力供給が停止する停止状態に制御する構成について説明したが、上記実施の形態２または３のマイクロコンピュータ１１についても同様に構成することで、同様の効果を得ることができる。
【００８０】
また、本実施の形態では、待機状態に入って、一定時間経過後にマイクロコンピュータ１１が低消費電力モードに入るようにしているが、待機状態に入るとすぐに低消費電力モードに入っても同様の効果を得ることができる。
【００８１】
（実施の形態５）
図６は、本発明の実施の形態５における炊飯器のブロック図を示すものである。
【００８２】
図６に示すように、整流ダイオード１８は、電源回路６の出力電圧Ｖ１に接続されたマイクロコンピュータ１１、入力手段７などの負荷と出力電圧Ｖ２との間を、出力電圧Ｖ２から電力を供給することが可能となるように、通電切換手段９の出力から電源回路６の出力電圧Ｖ１に向けて接続し、出力電圧Ｖ１に接続されたマイクロコンピュータ１１、入力手段７などの負荷に対して、出力電圧Ｖ２からも電力を供給することが可能となるように接続している。他の構成は上記実施の形態１または４と同じであり、同一符号を付して説明を省略する。
【００８３】
上記構成において図５を参照しながら動作、作用を説明する。炊飯器が商用交流電源２に接続されると、電源回路６は商用交流電源２を直流電圧に変換し出力電圧Ｖ１と出力電圧Ｖ２を出力する。出力電圧Ｖ１にはマイクロコンピュータ１１と入力手段７を接続しており、出力電圧Ｖ２には通電切換手段９を接続し、通電切換手段９の出力には加熱駆動手段１２と切換駆動手段１３とファンモータ８とダイオード１８を接続し、さらに、ダイオード１８を介して、出力電圧Ｖ１に接続しているマイクロコンピュータ１１と入力手段７とを接続している。
【００８４】
マイクロコンピュータ１１は待機状態のように加熱駆動手段１２や切換駆動手段１３やファンモータ８といった負荷を動作させる必要のない状態では、図５のステップ１０９でマイクロコンピュータ１１の消費電力を通常の動作状態よりも低減する低消費電力モードにする。その後、ステップ１１０で通電切換手段９に通電を停止する信号を出力し、通電切換手段９は出力に接続された負荷に出力電圧Ｖ２を供給しない。
【００８５】
一方、マイクロコンピュータ１１が入力手段７のうち取消しキー以外の信号を入力すると、その信号に合わせてステップ１１３で通電切換手段９に通電を可能とする信号を出力し、通電切換手段９は出力に接続された負荷に出力電圧Ｖ２を供給すると同時にステップ１１４でマイクロコンピュータ１１の動作を通常の動作モードに戻す。
【００８６】
その後、入力した信号に応じて、加熱駆動手段１２や切換駆動手段１３やファンモータ８に信号を出力し炊飯動作等を開始する。
【００８７】
このように、通常動作時はマイクロコンピュータ１１に出力電圧Ｖ２からも電力を供給し、低消費電力モードでは出力電圧Ｖ１からのみ電力を供給するので、出力電圧Ｖ１から供給する電力はマイクロコンピュータ１１の低消費電力モードでの消費電力と入力手段７へ供給する電力だけで済み、出力電圧Ｖ１を発生する電源回路６を簡単でコンパクトにできる。
【００８８】
以上のように、本実施の形態においては、出力電圧Ｖ１に接続された少なくともマイクロコンピュータ１１や入力手段７などの負荷に対して、出力電圧Ｖ２からも電力を供給することが可能となるように接続したので、通電切換手段９が通電状態でマイクロコンピュータ１１が通常動作中は出力電圧Ｖ２からも出力電圧Ｖ１に接続された負荷に電力を供給し、マイクロコンピュータ１１が低速動作等の低消費電力モードで動作するときは出力電圧Ｖ１からのみで電力を供給することとなり、電源回路６の出力電圧Ｖ１を出力する回路を低コストでコンパクトにできる。
【００８９】
（実施の形態６）
図７は、本発明の実施の形態６における炊飯器のブロック図を示すものである。
【００９０】
図７に示すように、表示手段１９は、炊飯器の状態を表示するもので、マイクロコンピュータ１１は、通電切換手段９や切換駆動手段１３の状態に応じて表示手段１９の表示を変更するよう構成している。他の構成は上記実施の形態１と同じであり、同一符号を付して説明を省略する。
【００９１】
上記構成において動作、作用を説明する。炊飯器が商用交流電源２に接続されると、電源回路６は商用交流電源２を直流電圧に変換し、出力電圧Ｖ１と出力電圧Ｖ２を出力する。出力電圧Ｖ１にはマイクロコンピュータ１１と入力手段７を接続しており、出力電圧Ｖ２には通電切換手段９を接続し、通電切換手段９の出力には加熱駆動手段１２と切換駆動手段１３とファンモータ８を接続している。
【００９２】
マイクロコンピュータ１１は加熱駆動手段１２と切換駆動手段１３とファンモータ８などの負荷を動作させる必要のない状態では、通電切換手段９に通電を停止する信号を出力し、通電切換手段９は出力に接続された負荷に出力電圧Ｖ２を供給しない。また、この状態では、加熱手段５は電源通電切換手段１４により商用交流電源２から電源を供給されない。
【００９３】
一方、マイクロコンピュータ１１は入力手段７の信号を入力すると、その信号に合わせて通電切換手段９に通電を可能とする信号を出力し、通電切換手段９の出力に接続された負荷に出力電圧Ｖ２を供給し、さらに、加熱駆動手段１２や切換駆動手段１３やファンモータ８に信号を出力し炊飯動作を開始する。切換駆動手段１３はマイクロコンピュータ１１からの信号により電源通電切換手段１４を駆動し、加熱手段５に商用交流電源２から電力を供給可能な状態とする。また、加熱駆動手段１２はマイクロコンピュータ１１からの信号により加熱手段５に駆動信号を出力し、加熱手段５を動作させ鍋４を加熱し炊飯を行う。そして、マイクロコンピュータ１１は通電切換手段９に出力した状態に応じて表示手段１９に表示する。
【００９４】
以上のように、本実施の形態においては、マイクロコンピュータ１１は、通電切換手段９や切換駆動手段１３の状態に応じて表示手段１９の表示を変更するよう構成したので、炊飯器がどのような状態で動作しているか表示することができる。
【産業上の利用可能性】
【００９５】
以上のように、本発明にかかる炊飯器は、加熱駆動手段や切換駆動手段などの実際に加熱炊飯を行うとき以外は動作を必要としない回路は、実際に動作するモード以外では商用交流電源から電力の供給を停止し、さらに加熱手段を構成する部品の加熱停止状態で消費する電力を削減し、加熱停止状態での無駄な電力を消費しないようにできるので、炊飯器の動作を制御するマイクロコンピュータを備えた炊飯器として有用である。
【図面の簡単な説明】
【００９６】
【図１】本発明の実施の形態１における炊飯器のブロック図
【図２】同炊飯器の一部ブロック化した要部回路図
【図３】本発明の実施の形態２における炊飯器のブロック図
【図４】本発明の実施の形態３における炊飯器のブロック図
【図５】本発明の実施の形態４における炊飯器の要部動作フローチャート
【図６】本発明の実施の形態５における炊飯器のブロック図
【図７】本発明の実施の形態６における炊飯器のブロック図
【図８】従来の炊飯器のブロック図
【符号の説明】
【００９７】
２  商用交流電源
４  鍋
５  加熱手段
６  電源回路
７  入力手段
９  通電切換手段
１０  バックアップ手段
１１  マイクロコンピュータ
１２  加熱駆動手段
１３  切換駆動手段
１４  電源通電切換手段
【図１】
2006326141.tif 000003
【図２】
2006326141.tif 000004
【図３】
2006326141.tif 000005
【図４】
2006326141.tif 000006
【図５】
2006326141.tif 000007
【図６】
2006326141.tif 000008
【図７】
2006326141.tif 000009
【図８】
2006326141.tif 000010